(57)【要約】【課題】多様な化粧操作ができる液塗布具を提案する。【解決手段】本発明は、中心軸方向に貫通孔５Ａを有し、当該貫通孔５Ａの出口が形成された先端面に、貫通孔５Ａの出口を囲むようにして中心軸方向と略平行に１つ又は複数のブラシ間部形成柱１９が設けられた外部シャフト５と、当該外部シャフト５の貫通孔５Ａに挿入されるように形成された内部シャフト６と、当該内部シャフト６の先端に当該内部シャフト６と一体となるように設けられ、外部シャフト５の貫通孔５Ａに内部シャフト６が挿入されたとき、外部シャフト５の１つ又は複数のブラシ間部形成柱１９の間からブラシ毛材２４を突出させるブラシ部材９Ａとを備え、内部シャフト６が外部シャフト５に対して中心軸方向にスライドしたとき、ブラシ間部形成柱１９の間から突出するブラシ毛材２４の長さを変化させるようにしたことにより、多様な塗布方法を選択できる。【選択図】図２
2007236456.tif 000002
【特許請求の範囲】
【請求項１】
中心軸方向に貫通孔を有し、上記貫通孔の出口が形成された先端面に、上記貫通孔の上記出口を囲むようにして上記中心軸方向と略平行に１つ又は複数のブラシ間部形成柱が設けられた外部シャフトと、
上記外部シャフトの上記貫通孔に挿入されるように形成された内部シャフトと、
上記内部シャフトの先端に当該内部シャフトと一体となるように設けられ、上記外部シャフトの上記貫通孔に上記内部シャフトが挿入されたとき、上記外部シャフトの上記１つ又は複数のブラシ間部形成柱の間からブラシ毛材を突出させるブラシ部材と、
を具え、
上記ブラシ部材は、
上記貫通孔に挿入された上記内部シャフトが上記外部シャフトに対して上記中心軸方向にスライドしたとき、上記ブラシ間部形成柱の間から突出する上記ブラシ毛材の長さが変化する
ことを特徴とする液塗布具。
【請求項２】
中心軸方向に貫通孔を有し、上記貫通孔の出口が形成された先端面に、上記貫通孔の上記出口を囲むようにして上記中心軸方向と略平行に１つ又は複数のブラシ間部形成柱が設けられた外部シャフトと、
上記外部シャフトの上記貫通孔に挿入されるように形成された内部シャフトと、
上記内部シャフトの先端に当該内部シャフトと一体に設けられ、上記外部シャフトの上記貫通孔に上記内部シャフトが挿入されたとき、上記外部シャフトの上記１つ又は複数のブラシ間部形成柱の間からブラシ毛材を突出させると共に上記１つ又は複数のブラシ間部形成柱と上記ブラシ毛材との間にブラシ収納空間を形成するブラシ部材と、
を具え、
上記ブラシ部材は、
上記貫通孔に挿入された上記内部シャフトが上記外部シャフトに対して上記中心軸を中心とする回動方向に回動したとき、上記ブラシ毛材が上記ブラシ収納空間に収納されることにより、上記ブラシ間部形成柱の間から突出する当該ブラシ毛材の長さが変化する
ことを特徴とする液塗布具。
【発明の詳細な説明】
【技術分野】
【０００１】
本発明は液塗布具に関し、特にマスカラブラシや毛染め用ブラシのように、塗布対象毛にマスカラや毛染め液等の塗布液を塗布する場合に適用して好適なものである。
【背景技術】
【０００２】
従来この種の液塗布具として、例えばマスカラブラシとして、特許文献１に開示されているように、ブラシに付着させたマスカラを、まつ毛に塗布するものが用いられている。
【０００３】
このマスカラブラシとしての液塗布具Ｒ１は、図４７に示すように、塗布液容器Ｒ２の取出口Ｒ３から、キャップＲ４に固着されたＲ５の先端に設けられたブラシ本体Ｒ６を出し入れすることにより、ブラシ本体Ｒ６を塗布液としてのマスカラに浸して外部に取り出すようになされている。（例えば特許文献１参照）。
【特許文献１】特開平５−２２８０１８号公報
【発明の開示】
【発明が解決しようとする課題】
【０００４】
図４７の構成によれば、ブラシ本体Ｒ６を塗布液容器Ｒ２から引き抜いたとき、芯材に植毛されたブラシ毛材Ｒ６Ａに付着した塗布液によりまつ毛に塗布液を塗布することになる。
【０００５】
このブラシ毛材Ｒ６Ａの表面に付着した塗布液によりまつ毛に塗布液を塗布する場合、個々の使用者が好む塗布方法は必ずしも同一ではなく、例えば液塗布具の形状を変化させることが簡便にできれば、多様な塗布方法を提供することができ、使用者はその中から好みに合った塗布方法を選択することができると考えられる。
【０００６】
本発明はかかる点を考慮してなされたもので、簡便な操作をするだけで塗布液を塗布対象毛の部位に対して多様な塗布方法で塗布できるようにした液塗布具を提案しようとするものである。
【課題を解決するための手段】
【０００７】
課題を解決するため本発明においては、中心軸方向に貫通孔５Ａを有し、当該貫通孔５Ａの出口が形成された先端面に、貫通孔５Ａの出口を囲むようにして中心軸方向と略平行に１つ又は複数のブラシ間部形成柱１９が設けられた外部シャフト５と、当該外部シャフト５の貫通孔５Ａに挿入されるように形成された内部シャフト６と、当該内部シャフト６の先端に当該内部シャフト６と一体となるように設けられ、外部シャフト５の貫通孔５Ａに内部シャフト６が挿入されたとき、外部シャフト５の１つ又は複数のブラシ間部形成柱１９の間からブラシ毛材２４を突出させるブラシ部材９Ａとを備え、内部シャフト６が外部シャフト５に対して中心軸方向にスライドしたとき、ブラシ間部形成柱１９の間から突出するブラシ毛材２４の長さを変化させるようにした。
【０００８】
このように本発明では、内部シャフトが外部シャフトに対して中心軸方向にスライドしたとき、ブラシ間部形成柱の間から突出するブラシ毛材の長さを変化させるようにしたことにより、従来のような、単にしごかれただけのブラシ毛材によりまつ毛に塗布液を塗布する場合と比して、多くの塗布方法を選択することができる。
【０００９】
また本発明においては、中心軸方向に貫通孔５５Ａを有し、当該貫通孔５５Ａの出口が形成された先端面に、貫通孔５５Ａの出口を囲むようにして中心軸方向と略平行に１つ又は複数のブラシ間部形成柱６９が設けられた外部シャフト５５と、外部シャフト５５の貫通孔５５Ａに挿入されるように形成された内部シャフト５６と、当該内部シャフト５６の先端に一体に設けられ、外部シャフト５５の貫通孔５５Ａに当該内部シャフト５６が挿入されたとき、外部シャフト５５の１つ又は複数のブラシ間部形成柱６９の間からブラシ毛材２４を突出させると共に１つ又は複数のブラシ間部形成柱６９とブラシ毛材２４との間にブラシ収納空間２６を形成するブラシ部材９Ｂとを備え、内部シャフト５６が外部シャフト５５に対して中心軸を中心とする回動方向に回動したとき、ブラシ毛材２４がブラシ収納空間２６に収納されることにより、ブラシ間部形成柱６９の間から突出するブラシ毛材２４の長さを変化させるようにした。
【００１０】
このように本発明では、内部シャフトが外部シャフトに対して中心軸を中心とする回動方向に回動したとき、ブラシ毛材がブラシ収納空間に収納されてブラシ間部形成柱の間から突出するブラシ毛材の長さを変化させるようにしたことにより、従来のような、単にしごかれただけのブラシ毛材によりまつ毛に塗布液を塗布する場合と比して、多くの塗布方法を選択することができる。
【発明の効果】
【００１１】
本発明によれば、内部シャフトが外部シャフトに対して中心軸方向にスライドしたとき、ブラシ間部形成柱の間から突出するブラシ毛材の長さを変化させるようにしたことにより、従来のような、単にしごかれただけのブラシ毛材によりまつ毛に塗布液を塗布する場合と比して、多様な塗布方法を選択することができ、かくして多様な化粧操作ができる液塗布具を実現できる。
【発明を実施するための最良の形態】
【００１２】
以下図面について、本発明の一実施の形態を詳述する。
【００１３】
（１）第１の実施の形態
図１及び図２において、１は全体として本発明を適用した液塗布具を示し、液塗布具本体２と塗布液貯蔵部３とを有する。
【００１４】
（１−１）液塗布具本体の構成
液塗布具本体２は円筒形状のキャップ胴体８を有し、図６に示すように、キャップ胴体８は、内側の略中央に嵌合溝８Ａが穿設されている。嵌合溝８Ａは、外部シャフト５に設けられた嵌合突部５Ｇと一体に勘合している。
【００１５】
外部シャフト５は、図３に示すように、貫通孔５Ａが設けられた細長い円筒形状からなる。外部シャフト５の上端には、当該外部シャフト５よりも大きい外径でなる円柱状の連結部５Ｂが設けられている。連結部５Ｂには、略正方形状の断面を有する矩形孔５Ｃが貫通孔５Ａと連通するようにして設けられている。貫通孔５Ａは、上方から内部シャフト６が挿入されている。
【００１６】
内部シャフト６は、図４に示すように、外部シャフト５の貫通孔５Ａよりも僅かに小さい外径を有する細長い円柱形状からなり、上端に雄ネジ６Ａが設けられていると共に、下端には中心軸線Ｌ１と平行にブラシ取付穴６Ｃが設けられている。雄ネジ６Ａの下部には、外部シャフト５の矩形孔５Ｂよりも僅かに小さい略正方形状の鍔６Ｂが設けられている。
【００１７】
また、内部シャフト６は、中央下部に外周に沿って溝６Ｄが穿設されており、貫通孔５Ａと略同じ外径からなるＯリング２５が取り付けられている。
【００１８】
Ｏリング２５は、柔軟性を持ったゴム材でなる。
【００１９】
これにより内部シャフト６は、貫通孔５Ａに上方から挿入されたとき、Ｏリング２５が溝６Ｄと貫通孔５Ａの内壁とに密接することにより、中心軸線Ｌ１に位置決めされると共に、鍔６Ｂと矩形孔５Ｂとが咬合することにより、中心軸線Ｌ１を中心とする回転方向には回転しない。
【００２０】
ここでキャップ胴体８（図６）は、上縁内部に掛合突部８Ｂが設けられており、キャップ蓋７の掛合突部７Ｂを圧入して回転自在に保持する。
【００２１】
キャップ蓋７は、図５に示すように、雌ネジ７Ａが設けられており、内部シャフト６の先端の雄ネジ６Ａと螺合する。
【００２２】
これにより内部シャフト６は、図７（Ａ）に示すように、キャップ蓋７を矢印ａ１の回転方向に回転したとき、内部シャフト６の鍔６Ｂと外部シャフト５の矩形孔５Ｃとが回転しないようにスライドすることにより、貫通孔５Ａに沿って矢印ａ２の方向に移動する。また内部シャフト６は、キャップ蓋７を矢印ｂ１の回転方向に回転したとき、矢印ｂ２の方向に移動する。
【００２３】
これに加え外部シャフト５は、図８に示すように、下端に中心軸線Ｌ１と平行に突出する４本の柱１５を有し、それぞれの柱１５の間に貫通孔５Ａと連通する液保持空隙１６を形成している。
【００２４】
柱１５は、それぞれ外側に液保持溝１７が設けられていると共に、テーパ１８を介してより細いブラシ間部形成柱１９と連結している。それぞれのブラシ間部形成柱１９の間には貫通孔５Ａ及び液保持空隙１６と連通するブラシ突出空隙２０を形成している。
【００２５】
かくして外部シャフト５は、柱１５間の液保持空隙１６とブラシ間部形成柱１９間のブラシ突出空隙２０とによって、貫通孔５Ａと連通する空隙１４を形成している。
【００２６】
この空隙１４内には、ブラシ部材９Ａが配設されている。
【００２７】
ブラシ部材９Ａは、図９に示すように、直線状に延長する２本の芯材２３にナイロンや、ポリエステル、又はポリプロピレン等からなる多数の細いブラシ毛材２４を並べてねじり込んだ構成を有している。ブラシ毛材２４は芯材２３を中心として放射状に設けられており、その毛の長さは、芯材２３の先端に向かって細くなるようになされている。芯材２３の後端は、内部シャフト６のブラシ取付穴６Ｃ（図８（Ｃ））と一体に勘合している。
【００２８】
これによりブラシ部材９Ａのブラシ毛材２４は、図１０に示すように、柱１５及びブラシ間部形成柱１９に沿って揃えられることにより、空隙１４の中に束ねられる。
【００２９】
このときブラシ毛材２４は、図１１（Ａ）に示すように、ブラシ間部形成柱１９間のブラシ突出空隙２０から突出する。
【００３０】
またブラシ毛材２４は、図１１（Ｂ）に示すように、柱１５間の液保持空隙１６からは、液保持溝１７の溝の底より外方には突出しない。
【００３１】
（１−２）塗布液貯蔵部の構成
塗布液貯蔵部３は底の塞がった円筒形状の容器本体１０を有し、図１及び２に示すように、取出口１０Ｂが上部に設けられており、その内壁には、略円筒形状のしごき部材１１（通常インナキャップと呼ぶ）の引掛部１１Ｂが密接している。
【００３２】
しごき部材１１は柔軟性を持ったゴム材でなり、しごき部１１Ａを有する。また、容器本体１０は、内部にマスカラでなる塗布液４を保持している。
【００３３】
（１−３）動作及び効果
以上の構成において、液塗布具本体２は、ブラシ部材９Ａが空隙１４内に収納されているブラシ収納状態において、塗布液貯蔵部３に差し込まれたとき、貫通孔５Ａ、柱１５間の液保持空隙１６、ブラシ間部形成柱１９間のブラシ突出空隙２０及びブラシ部材９Ａのブラシ毛材２４間に塗布液４が浸された状態になる。
【００３４】
この状態において、使用者がキャップ胴体８を手にとって容器本体１０から液塗布具本体２を引き抜くと、図１２に示すように、しごき部材１１のしごき部１１ＡがしごきラインＬ２に沿って液塗布具本体２をしごくことにより、余分な塗布液４がしごき落とされた状態で容器本体１０から外部に取り出される。
【００３５】
このとき、液塗布具本体２は、図１３に示すように、貫通孔５Ａ、柱１５間の液保持空隙１６、ブラシ間部形成柱１９間のブラシ突出空隙２０及びブラシ突出空隙２０から突出しているブラシ毛材２４間に多量の塗布液４を保持すると共に、液保持溝１７の溝内に少量の塗布液４を保持した状態となる。
【００３６】
そこで、使用者が、液保持空隙１６をまつ毛に触れさせながら、当該まつ毛に沿うように液塗布具本体２を回転させると、液保持空隙１６内に保持されている多量の塗布液４をまつ毛に塗り付けられる。このとき液保持空隙１６と連通する貫通孔５Ａは比較的大きい空洞体積を持っているので、まつ毛に対して十分に多量の塗布液４を供給することができ、これにより十分に濃い塗布液４をまつ毛に塗布することができる。
【００３７】
また使用者が、液保持溝１７を用いて同様の操作を行った場合、当該液保持溝１７の溝内に保持されている少量の塗布液４がまつ毛に塗り付けられる。このとき、液保持溝１７は、ブラシ部材９Ａのブラシ毛材２４と比して比較的硬い材質であることから、例えばまつ毛を強く押すことによりカールさせたり、溝でまつ毛をすくことにより、濃く塗布された塗布液４を薄くのばす修正操作をすることができる。
【００３８】
さらに使用者が、ブラシ突出空隙２０から突出したブラシ毛材２４を用いて同様の操作を行った場合、ブラシ毛材２４間に保持されている多量の塗布液４をまつ毛に塗り付けられる。このときブラシ毛材２４は、多量の塗布液４を塗りつけると同時にブラシ毛材２４の毛先でまつ毛のラインを整える等の修正を行うことができ、単に多量の塗布液４を塗りつけるだけでは成し得ないボリューム感をまつ毛に与えることができる。
【００３９】
かかる化粧操作に続いて、液塗布具１の使用者が、液塗布具本体２のキャップ蓋７を回すと、図１４に示すように、ブラシ部材９Ａは塗布液４と共に中心軸Ｌ１に沿って先端方向に移動し、液塗布具本体２の先端に先端ブラシ１３Ａが形成されるブラシ突出状態となる。
【００４０】
このとき液塗布具本体２は、内部シャフト６が貫通孔５Ａに保持していた多量の塗布液４を押し出すことにより、柱１５間の液保持空隙１６、ブラシ間部形成柱１９間のブラシ突出空隙２０及びブラシ突出空隙２０から突出しているブラシ毛材２４間に多量の塗布液４を供給する。
【００４１】
これにより液塗布具本体２は、図１５（Ａ）に示すように、ブラシ突出空隙２０から突出するブラシ毛材２４が長くなると共に、ブラシ突出空隙２０及びブラシ毛材２４間に多量の塗布液４を保持する状態となる。
【００４２】
また液塗布具本体２は、図１５（Ｂ）に示すように、液保持空隙１６にブラシ毛材２４が存在しない状態になると共に、液保持空隙１６に多量の塗布液４を保持する状態となる。
【００４３】
また先端ブラシ１３Ａは、図１５（Ｃ）に示すように、ブラシ間部形成柱１９によりブラシ毛材２４が揃えられていないため、芯材２３を中心として放射状に広がると共に、ブラシ毛材２４間に多量の塗布液４を保持する状態となる。
【００４４】
この状態において、使用者が、長くなったブラシ毛材２４をまつ毛に触れさせながら当該まつ毛に沿うように液塗布具本体２を回転させると、まつ毛に付着させ過ぎた塗布液４を掻き落とせる。このときブラシ毛材２４は、一度塗りつけた塗布液４を掻き落とすことにより、塗布液４を塗りつけるだけでは成し得ない微調整をまつ毛に対し行うことができる。
【００４５】
また使用者が、液保持空隙１６を用いて同様の操作を行った場合、液保持空隙１６内に保持されている多量の塗布液４をまつ毛に塗り付けられるだけでなく、液保持溝１７と液保持空隙１６との境目の縁により、まつ毛を部分的に引っ掛けられる。このとき、液保持溝１７は、例えばまつ毛の一部だけを引っ掛けてカールさせることができる。
【００４６】
さらに使用者が、液塗布具本体２の先端に形成された先端ブラシ１３Ａを用いて同様の操作を行った場合、まつ毛に簡易に塗布液４を塗りつけることができる。
【００４７】
さらに、この先端ブラシ１３Ａを目元の短いまつ毛に触れさせると、当該先端ブラシ１３Ａが目及び肌等に触れることなく目元の短いまつ毛に対してのみ塗布液４が塗り付けられる。このとき先端ブラシ１３Ａは、液塗布具本体２の他の部位では塗布液４を塗布し難いような、目元、生え際及び下まつ毛等の細かい部位に塗布液４を塗布することができる。また、まつ毛に一度塗りつけた塗布液４を、当該まつ毛の一部についてだけ修正するような微調整を加えることができる。
【００４８】
以上の構成によれば、内部シャフト６が外部シャフト５に対してスライドしたとき、ブラシ間部形成柱１９の間から突出するブラシ毛材２４の長さを変化させるようにしたことにより、従来のような、単にしごかれただけのブラシ毛材２４によりまつ毛に塗布液４を塗布する場合と比して、多様な塗布方法を選択することができ、かくして多様な化粧操作ができる液塗布具を実現できる。
【００４９】
また、ブラシ間部形成柱１９の間から突出するブラシ毛材２４の長さ及び先端ブラシ１３Ａの突出量は、キャップ蓋７を回すことで調整できるため、さらに多くの塗布方法を選択することができ、かくして個々の使用者の好みに合わせて多様な化粧操作ができる液塗布具を実現できる。
【００５０】
（２）第２の実施の形態
図１６は第２の実施の形態を示すもので、図２との対応部分に同一符号を付して示すように、液塗布具３１は、先端部の構成が相違する液塗布具本体３２と塗布液貯蔵部３とを有する。
【００５１】
（２−１）液塗布具本体の構成
液塗布具本体３２は、図１７に示すように、外部シャフト５の下端に中心軸線Ｌ１と平行に突出する先細のブラシ間部形成柱４９を４本有し、それぞれのブラシ間部形成柱４９の間に貫通孔５Ａと連通する液保持空隙１６を形成している。ブラシ間部形成柱４９は、それぞれ外側に塗布液４を保持するための液保持溝１７が根元から先端まで整列して設けられている。
【００５２】
ブラシ間部形成柱４９は、図１７（Ｃ）に示すように、ブラシ部材９Ａ（図９）と略同程度に先細に形成されていることにより、ブラシ部材９Ａが液保持空隙１６内に収納されているブラシ収納状態において、ブラシ毛材２４が液保持溝１７の溝の底よりも外部に突出しないようになされている。
【００５３】
（２−２）動作及び効果
以上の構成において、液塗布具本体３２は、ブラシ収納状態において、塗布液貯蔵部３から塗布液４を取り出したとき、液保持空隙１６を用いることによりまつ毛に対し多量の塗布液４を塗布する操作や、液保持溝１７により少量の塗布液４をまつ毛に塗布する操作及び修正を行う操作については、図１０の液塗布具本体２の場合と同様である。
【００５４】
また、液塗布具本体３２は、ブラシ突出状態において、液保持空隙１６と液保持溝１７との境目の縁を用いることによりまつ毛の一部をカールさせる操作や、先端ブラシ１３Ａにより、目元、生え際及び下まつ毛等の細かい部位に塗布液４を塗布する操作や、当該先端ブラシ１３Ａにより、まつ毛に一度塗りつけた塗布液４を、当該まつ毛の一部についてだけ修正するような操作については、図１４の液塗布具本体２の場合と同様である。
【００５５】
これに加えて、液塗布具本体３２は、図１７及び図１８に示すように、ブラシ収納状態において、液保持空隙１６をまつ毛に触れさせながら、当該まつ毛に沿うように液塗布具本体２を回転させると、液保持空隙１６及び貫通孔５Ａ内に保持されている多量の塗布液４をまつ毛全体に一斉に塗り付けられる。このとき液保持空隙１６及びその内部に存在するブラシ毛材２４の間に保持する塗布液４をまつ毛全体に対して供給することにより、まつ毛全体に十分に濃い塗布液４を一斉に塗布することができる。
【００５６】
また液塗布具本体３２は、ブラシ間部形成柱４９全体に設けられた液保持溝１７を用いて同様の操作を行った場合、当該液保持溝１７の溝内に保持されている少量の塗布液４がまつ毛全体に一斉に塗り付けられる。このとき、液保持溝１７は、ブラシ部材９Ａのブラシ毛材２４と比して比較的硬い材質であることから、例えばまつ毛全体を強く押すことによりカールさせたり、溝でまつ毛全体をすくことにより、濃く塗布された塗布液４を薄くのばす修正操作をすることができる。
【００５７】
さらに、液塗布具本体３２は、図１９及び図２０に示すように、ブラシ突出状態において、ブラシ間部形成柱４９間の液保持空隙１６からブラシ毛材２４が略同じ長さで突出する。このブラシ毛材２４を用いて同様の操作を行った場合、当該ブラシ毛材２４の間に保持されている多量の塗布液４をまつ毛全体に一斉に塗り付けられる。このときブラシ毛材２４は、多量の塗布液４をまつ毛全体に一斉に塗りつけると同時に、まつ毛の毛先のラインを整えたり修正したりすることができる。
【００５８】
上述の図１６乃至図２０の構成によれば、液塗布具本体３２は、ブラシ収納状態においては液保持空隙１６により塗布液４をまつ毛全体に一斉に塗布することができ、またブラシ突出状態においては略同じ長さで突出したブラシ毛材２４により塗布液をまつ毛全体に塗布すると共にまつ毛の毛先のラインを修正することができ、かくして簡便な操作をするだけで多様な化粧操作ができる液塗布具を実現できる。
【００５９】
（３）第３の実施の形態
図２１は第３の実施の形態を示すもので、図２との対応部分に同一符号を付して示すように、液塗布具４１は、構成が相違する液塗布具本体４２と塗布液貯蔵部３とを有する。
【００６０】
（３−１）液塗布具本体の構成
図２１の場合、液塗布具本体４２のキャップ胴体８に設けられている嵌合溝８Ａ（図６）は、外部シャフト４５に設けられた嵌合突部４５Ｇと一体に嵌合している。
【００６１】
外部シャフト４５は、図２２に示すように、貫通孔４５Ａが設けられた細長い円筒形状からなる。外部シャフト４５の上端には、当該外部シャフト４５よりも大きい外径でなる円筒形状の連結部４５Ｂが設けられている。
【００６２】
連結部４５Ｂは、貫通孔４５Ａより大きな内径を有する円形孔４５Ｃが貫通孔４５Ａと連通するようにして設けられており、貫通孔４５Ａと円形孔４５Ｃとの間は段差４５Ｆにより連結している。この円形孔４５Ｃは、内側の上方に嵌合溝４５Ｄが穿設されており、押さえ部材７０の嵌合突部７０Ｂと一体に嵌合している。
【００６３】
また貫通孔４５Ａは、内側の上部に溝４５Ｅが穿設されており、内部シャフト４６の外径と略同じ内径からなるＯリング６５が取り付けられている。
【００６４】
押さえ部材７０は、図２３に示すように、外部シャフト４５の円形孔４５Ｃよりも僅かに小さい外径を有する円柱形状からなり、略正方形状の断面を有する矩形孔７０Ａが設けられると共に、上方から内部シャフト４６が挿入されている。
【００６５】
内部シャフト４６は、図２４に示すように、外部シャフト４５の貫通孔４５Ａよりも僅かに小さい外径を有する細長い円柱形状からなり、上端に対向する一対のスライドピン４６Ａが中心軸線Ｌ１と直角に設けられていると共に、下端には中心軸線Ｌ１と平行にブラシ取付穴４６Ｃが設けられている。スライドピン４６Ａの下部には、押さえ部材７０の矩形孔７０Ａよりも僅かに小さい略正方形状の鍔４６Ｂが設けられている。
【００６６】
これにより内部シャフト４６は、押さえ部材７０の矩形孔７０Ａ及び外部シャフト４５の貫通孔４５Ａに上方から挿入されたとき、Ｏリング６５が溝４５Ｅと内部シャフト４６の外壁とに密接することにより中心軸線Ｌ１に位置決めされると共に、鍔４６Ｂと矩形孔７０Ａとが咬合することにより中心軸線Ｌ１を中心とする回転方向には回転しない。
【００６７】
また、図２１の場合、キャップ胴体８の掛合突部８Ｂに、キャップ蓋４７の掛合突部４７Ｂを圧入して回転自在に保持する。
【００６８】
キャップ蓋４７は、図２５に示すように、内側に中心軸線Ｌ１を中心として対向する一対の螺旋状の螺旋ガイド４７Ａが穿設されており、内部シャフト４６の先端の一対のスライドピン４６Ａと係合する。
【００６９】
これにより内部シャフト４６は、図２６に示すように、キャップ蓋４７を矢印ｃ１の回転方向に回転したとき、内部シャフト４６の鍔４６Ｂと押さえ部材７０の矩形孔７０Ａとが回転しないようにスライドすることにより、貫通孔４５Ａに沿って矢印ｃ２の方向に移動する。また内部シャフト４６は、キャップ蓋４７を矢印ｄ１の回転方向に回転したとき、矢印ｄ２の方向に移動する。
【００７０】
これに加え外部シャフト４５は、図２７に示すように、下端に外部シャフト４５の外径よりも大きい外径を有する円筒形状のスカート部４５Ｇが、外部シャフト４５を延長するようにして設けられている。
【００７１】
スカート部４５Ｇは、外周に液保持溝１７が設けられていると共に、貫通孔４５Ａよりも大きい内径を有するブラシ保持空隙４５Ｈが、貫通孔４５Ａと連通するようにして設けられている。
【００７２】
このブラシ保持空隙４５Ｈ内には、ブラシ部材９Ｂが配設されている。
【００７３】
ブラシ部材９Ｂは、図２８に示すように、直線状に延長する２本の芯材２３にナイロンや、ポリエステル、又はポリプロピレン等からなる多数の細いブラシ毛材２４を並べてねじり込んだ構成を有している。ブラシ毛材２４は芯材２３を中心として同じ長さに放射状に設けられている。
【００７４】
またブラシ部材９Ｂは、先端に円錐台形状の先端ブラシ１３Ｂが設けられていると共に、芯材２３の後端が内部シャフト４６のブラシ取付穴４６Ｃ（図２７（Ｃ））と一体に嵌合している。
【００７５】
これによりブラシ部材９Ｂは、図２９に示すように、ブラシ毛材２４の毛の長さがスカート部４５Ｇの内径よりも大きく選定されていることにより、スカート部４５Ｇのブラシ保持空隙４５Ｈ内に引き込まれるとき、ブラシ毛材２４が先端方向に傾斜するようにしてブラシ保持空隙４５Ｈ内に収納される。このとき先端ブラシ１３Ｂは、ブラシ保持空隙４５Ｈの先端に配設される。
【００７６】
（３−２）動作及び効果
以上の構成において、液塗布具本体４２は、ブラシ保持空隙４５Ｈにブラシ部材９Ｂが収納されているブラシ収納状態において、塗布液貯蔵部３に差し込まれたとき、ブラシ保持空隙４５Ｈ、ブラシ部材９Ｂのブラシ毛材２４間及び先端ブラシ１３Ｂのブラシ毛材２４間に塗布液４が浸された状態になる。
【００７７】
そこで、使用者がキャップ胴体８を手にとって容器本体１０から液塗布具本体４２を引き抜くと、しごき部材１１のしごき部１１Ａ（図２１）が液塗布具本体４２をしごくことにより、余分な塗布液４がしごき落とされた状態で容器本体１０から外部に取り出される。
【００７８】
このとき、液塗布具本体４２は、図３１に示すように、ブラシ保持空隙４５Ｈ、ブラシ部材９Ｂのブラシ毛材２４間及び先端ブラシ１３Ｂのブラシ毛材２４間に多量の塗布液４を保持すると共に、液保持溝１７の溝内に少量の塗布液４を保持した状態となる。
【００７９】
この状態において、液塗布具本体４２は、外部に露出している液保持溝１７により少量の塗布液４をまつ毛に塗布する操作及び修正を行う操作や、先端ブラシ１３Ｂを用いて目元、生え際及び下まつ毛等の細かい部位に塗布液４を塗布する操作については、図１０及び図１４の液塗布具本体２の場合と同様である。
【００８０】
かかる化粧操作に続いて、液塗布具４１の使用者が、液塗布具本体４２のキャップ蓋４７を回すと、図３２に示すように、ブラシ部材９Ｂは塗布液４と共に中心軸Ｌ１に沿って先端方向に移動することにより、ブラシ部材９Ｂ全体が外部に露出するブラシ突出状態となる。
【００８１】
このとき液塗布具本体４２のブラシ部材９Ｂ全体は、スカート部４５Ｇによりブラシ毛材２４が揃えられていないため、芯材２３を中心として放射状に広がることにより、本来の形状に戻る。
【００８２】
また液塗布具本体４２は、内部シャフト４６がブラシ保持空隙４５Ｈに保持していた多量の塗布液４を押し出すことにより、ブラシ部材９Ｂのブラシ毛材２４間に多量の塗布液４を供給し、図３３に示すように、ブラシ毛材２４間に多量の塗布液４を保持する状態となる。
【００８３】
そこで使用者が、スカート部４５Ｇのブラシ保持空隙４５Ｈから突出したブラシ部材９Ｂをまつ毛全体に触れさせながら、当該まつ毛に沿うように液塗布具本体４２を回転させると、まつ毛全体に塗布液４を塗りつけることができる。
【００８４】
これに加えて、図２１の液塗布具本体４２の場合、図３４に示すように、ブラシ部材９Ｂのブラシ毛材２４の長さをブラシ保持空隙４５Ｈの内径に対して十分に長く選定することにより、ブラシ収納状態からブラシ突出状態に移行したとき、ブラシ毛材２４は、ブラシ保持空隙４５Ｈ内で傾斜していた癖がついたままの状態になる。
【００８５】
かかる状態において、使用者が、傾斜した癖がついたブラシ毛材２４を用いて同様の操作を行った場合、液塗布具本体４２は、回転方向に対してブラシ毛材２４が傾いていることにより、まつ毛全体を引っ掛けることができ、まつ毛に塗布液４を塗布すると同時に、まつ毛全体をカールさせる及び過剰に塗布し過ぎた塗布液４を掻き落とすことができる。
【００８６】
上述の図２１乃至図３４の構成によれば、液塗布具本体４２は、傾斜したブラシ毛材２４によりまつ毛に塗布液４を塗布すると同時に、まつ毛全体をカールさせる及び過剰に塗布し過ぎた塗布液４を掻き落とすことができる液塗布具を実現できる。
【００８７】
また、スカート部４５Ｇのブラシ保持空隙４５Ｈから突出するブラシ部材９Ｂの突出量は、キャップ蓋４７を回すことで調整できるため、個々の使用者の好みに合わせた突出量を選択することができ、かくして多様な化粧操作ができる液塗布具を実現できる。
【００８８】
（４）第４の実施の形態
図３５は第４の実施の形態を示すもので、図２との対応部分に同一符号を付して示すように、液塗布具５１は、構成が相違する液塗布具本体５２と塗布液貯蔵部３とを有する。
【００８９】
（４−１）液塗布具本体の構成
図３５の場合、液塗布具本体５２のキャップ胴体８に設けられている嵌合溝８Ａは、外部シャフト５５に設けられた嵌合突部５５Ｇと一体に嵌合している。
【００９０】
外部シャフト５５は、図３６に示すように、貫通孔５５Ａが設けられた細長い円筒形状からなる。外部シャフト５５の上端には、当該外部シャフト５５よりも大きい外径でなる円筒形状の連結部５５Ｂが設けられている。連結部５５Ｂは、略楕円形状でなる楕円形孔５５Ｃが貫通孔５５Ａと連通するようにして設けられており、上方から内部シャフト５６が挿入されている。
【００９１】
内部シャフト５６は、図３７に示すように、外部シャフト５５の貫通孔５５Ａよりも僅かに小さい外径を有する細長い円柱形状からなり、上端に略正方形状の断面を有する連結柱５６Ａが設けられていると共に、下端には中心軸線Ｌ１と平行にブラシ取付穴５６Ｃが設けられている。連結柱５６Ａの下部には、外部シャフト５５の楕円形孔５５Ｃよりも小さい略楕円形状の断面を有する鍔５６Ｂが設けられている。
【００９２】
また、内部シャフト５６は、中央下部に外周に沿って溝５６Ｄが穿設されており、貫通孔５５Ａと略同じ外径からなるＯリング２５が取り付けられている。
【００９３】
これにより内部シャフト５６は、外部シャフト５５の貫通孔５５Ａに上方から挿入されたとき、Ｏリング２５が溝５６Ｄと貫通孔５５Ａの内壁とに密接することにより、中心軸線Ｌ１に位置決めされる。
【００９４】
また内部シャフト５６は、図３８（Ｂ）に示すように、略楕円形状の鍔５６Ｂの長軸が楕円形孔５５Ｃの短軸側の内壁にぶつかって回転を阻害されることにより、中心軸線Ｌ１を中心として矢印ｅ及び矢印ｆの回転方向に僅かに回転する。
【００９５】
また、図３５の場合、キャップ胴体８の掛合突部８Ｂに、キャップ蓋５７の掛合突部５７Ｂを圧入して回転自在に保持する。
【００９６】
キャップ蓋５７は、図３８（Ａ）に示すように、連結柱５６Ａよりも僅かに大きい、略正方形状の連結穴５７Ａが中心軸線Ｌ１に沿って下方に設けられており、内部シャフト５６の先端の連結柱５６Ａと嵌合して一体になる。
【００９７】
これにより内部シャフト５６は、キャップ蓋５７を回したとき、中心軸線Ｌ１を中心とする回転方向に僅かに回転する。
【００９８】
これに加え外部シャフト５５は、図３９に示すように、テーパ６８を介して下端に中心軸線Ｌ１と平行に突出する４本のブラシ間部形成柱６９を有し、それぞれのブラシ間部形成柱６９の間に貫通孔５５Ａと連通するブラシ突出空隙７０を形成している。
【００９９】
このブラシ突出空隙７０内には、ブラシ部材９Ａ（図９）が配設されている。
【０１００】
このときブラシ部材９Ａのブラシ毛材２４は、図４０に示すように、ブラシ間部形成柱６９に沿って揃えられることにより、ブラシ突出空隙７０の中に束ねられる。
【０１０１】
またブラシ毛材２４は、図４１に示すように、ブラシ間部形成柱６９間のブラシ突出空隙７０から突出すると共に、当該ブラシ毛材２４とブラシ間部形成柱６９との間にブラシ収納空間２６を形成する。
【０１０２】
（４−２）動作及び効果
以上の構成において、液塗布具本体５２は、塗布液貯蔵部３に差し込まれたとき、ブラシ間部形成柱６９間のブラシ突出空隙７０及びブラシ部材９Ａのブラシ毛材２４間に塗布液４が浸された状態になる。
【０１０３】
そこで、使用者がキャップ胴体８を手にとって容器本体１０から液塗布具本体５２を引き抜くと、しごき部材１１のしごき部１１Ａ（図３５）が液塗布具本体５２をしごくことにより、余分な塗布液４がしごき落とされた状態で容器本体１０から外部に取り出される。
【０１０４】
このとき、液塗布具本体５２は、図４２に示すように、ブラシ間部形成柱６９間のブラシ突出空隙７０、ブラシ部材９Ａのブラシ毛材２４間及びブラシ収納空間２６に多量の塗布液４を保持する状態となる。
【０１０５】
この状態において使用者が、ブラシ毛材２４を用いて多量の塗布液４をまつ毛に塗りつける操作については、図１０の液塗布具本体２の場合と同様である。
【０１０６】
かかる化粧操作に続いて、図４３に示すように、液塗布具５１の使用者が、液塗布具本体５２のキャップ蓋５７を回して保持すると、ブラシ毛材２４が弾性力に抗してブラシ間部形成柱６９に沿ってブラシ収納空間２６内に収納されることにより、当該ブラシ毛材２４の突出する長さが短くなると共にブラシ間部形成柱６９が露出するブラシ収納状態となる。
【０１０７】
このブラシ収納状態においてブラシ毛材２４は、図４４に示すように、矢印ｇ及び矢印ｈの方向に回転したとき、ブラシ収納空間２６内に傾斜して収納されることにより、ブラシ間部形成柱６９間から外部に傾斜して僅かに突出する。
【０１０８】
これにより使用者が、傾斜して僅かに突出するブラシ毛材２４を用いて同様の操作を行った場合、液塗布具本体５２は、まつ毛全体を引っ掛けることができ、まつ毛に塗布液４を塗布すると同時に、まつ毛全体をカールさせる及び過剰に塗布し過ぎた塗布液４を掻き落とすことができる。
【０１０９】
また使用者が、露出したブラシ間部形成柱６９を用いて同様の操作を行った場合、ブラシ間部形成柱６９はブラシ毛材２４と比して比較的硬い材質であることから、例えばまつ毛を強く押すことによりカールさせる修正操作をすることができる。
【０１１０】
かかる化粧操作に続いて、液塗布具５１の使用者が、液塗布具本体５２のキャップ蓋５７を離すと、当該キャップ蓋５７は、ブラシ毛材２４の弾性力により逆の方向に回転して元の位置に戻り、ブラシ収納空間２６に保持していた塗布液４と共にブラシ毛材２４がブラシ間部形成柱６９に沿ってブラシ突出空隙７０から突出するブラシ突出状態となる。
【０１１１】
これにより、液塗布具本体５２は、塗布液貯蔵部３に出し入れする操作無しに、ブラシ収納空間２６に多量に保持していた塗布液４をブラシ毛材２４に供給することができ、この塗布液４を多量に保持したブラシ毛材２４を用いることにより、まつ毛に多量の塗布液４を塗りつけることができる。
【０１１２】
上述の図３５乃至図４４の構成によれば、内部シャフト５６が外部シャフト５５に対して回転したとき、ブラシ毛材２４がブラシ収納空間２６内に収納され、ブラシ間部形成柱６９の間から突出するブラシ毛材２４の長さを変化させるようにしたことにより、従来のような、単にしごかれただけのブラシ毛材２４によりまつ毛に塗布液４を塗布する場合と比して、多様な塗布方法を選択することができ、かくして多様な化粧操作ができる液塗布具を実現できる。
【０１１３】
上述の第４の実施の形態については、図４５及び図４６に示すような変形例を加えても良い。
【０１１４】
図４５は、液塗布具本体５２の第１の変形例を示すもので、図４０に対応するように、液塗布具本体５２の先端にブラシ部材９Ａを延長するようにして先端ブラシ１３Ｃが設けられている。
【０１１５】
この先端ブラシ１３Ｃにより、目元、生え際及び下まつ毛等の細かい部位に塗布液４を塗布する操作については、図１４の液塗布具本体２の場合と同様である。
【０１１６】
図４６は、液塗布具本体５２の第２の変形例を示すもので、図４０に対応するように、液塗布具本体５２の先端に、４本のブラシ間部形成柱６９と連結するようにして先端溝部２７が設けられており、その表面には液保持溝１７が設けられている。
【０１１７】
この液保持溝１７により少量の塗布液４をまつ毛に塗布する操作及び修正を行う操作については、図１０の液塗布具本体２の場合と同様である。
【０１１８】
（５）他の実施の形態
（ａ）上述の実施の形態においては、塗布対象毛としてまつ毛にマスカラを塗布する場合について述べたが、本発明はこれに限らず、例えば毛髪やまつ毛に毛染め液を塗布する場合など、要するに、人の毛に塗布液を塗布するための液塗布具に広く適用し得る。
【０１１９】
（ｂ）上述の実施の形態においては、外部シャフトから４本の柱及びブラシ間部形成柱が突出するように形成した場合について述べたが、本発明はこれに限らず、柱及びブラシ間部形成柱の本数は、１本又は２本以上複数本形成しても良い。
【０１２０】
（ｃ）上述の実施の形態においては、ブラシ部材９Ａ及びブラシ部材９Ｂの全体の外観形状として、手元から先端に行くに従って先細りになる断面円形状のもの及び先端に行くに従って同じ直径の円柱形状のものを用いたが、ブラシ部材の外観形状はこれに限らず、先端に行くに従って一端太くなった後先細りになるタイコ形状のものや、中間部分が少し細くなるひょうたん形状のものや、断面が三角形形状のものなど、種々の形状のものにも適用できる。
【０１２１】
（ｄ）上述の実施の形態においては、先端ブラシ１３Ａ、１３Ｂ及び１３Ｃの外観形状として、先端に行くに従って先細りになる断面円形状のものを用いたが、先端ブラシの外観形状はこれに限らず、先端に行くに従って同じ直径の円柱形状のものや、先端に行くに従って一端太くなった後先細りになるタイコ形状のものや、断面が三角形形状のものなど、種々の形状のものにも適用できる。
【産業上の利用可能性】
【０１２２】
本発明は、塗布対象毛にマスカラや毛染め液等の塗布液を塗布する場合に適用できる。
【図面の簡単な説明】
【０１２３】
【図１】第１の実施の形態を示す略線図である。
【図２】（Ａ）及び（Ｂ）は、図１のＡ１−Ａ１断面を示す断面図である。
【図３】（Ａ）、（Ｂ）及び（Ｃ）は、外部シャフト５を示す略線図である。
【図４】（Ａ）、（Ｂ）及び（Ｃ）は、内部シャフト６を示す略線図である。
【図５】キャップ蓋７を示す略線図である。
【図６】キャップ胴体８を示す略線図である。
【図７】（Ａ）及び（Ｂ）は、内部シャフト６のスライドの様子を示す略線図である。
【図８】（Ａ）、（Ｂ）及び（Ｃ）は、液塗布具本体２の先端部の構成を示す略線図である。
【図９】（Ａ）、（Ｂ）及び（Ｃ）は、ブラシ部材９Ａを示す略線図である。
【図１０】（Ａ）、（Ｂ）及び（Ｃ）は、ブラシ部材９Ａを配設した液塗布具本体２の先端部の構成を示す略線図である。
【図１１】（Ａ）及び（Ｂ）は、図１０のブラシ間部形成柱位置におけるＡ７−Ａ７断面及び柱位置におけるＡ８−Ａ８断面を示す断面図である。
【図１２】しごき動作の説明に供する略線図である。
【図１３】（Ａ）及び（Ｂ）は、図１１のＡ７−Ａ７断面における塗布液保持及びＡ８−Ａ８断面における塗布液保持の様子を示す断面図である。
【図１４】（Ａ）、（Ｂ）及び（Ｃ）は、ブラシ部材９Ａの突出の様子を示す略線図である。
【図１５】（Ａ）、（Ｂ）及び（Ｃ）は、図１４のＡ１０−Ａ１０断面における塗布液保持、Ａ１１−Ａ１１断面における塗布液保持及びＡ１２−Ａ１２断面における塗布液保持の様子を示す断面図である。
【図１６】第２の実施の形態を示す略線図である。
【図１７】（Ａ）、（Ｂ）及び（Ｃ）は、ブラシ部材９Ａを配設した液塗布具本体３２の先端部の構成を示す略線図である。
【図１８】（Ａ）及び（Ｂ）は、図１７のＡ１４−Ａ１４断面における塗布液保持及びＡ１５−Ａ１５断面における塗布液保持の様子を示す断面図である。
【図１９】（Ａ）、（Ｂ）及び（Ｃ）は、ブラシ部材９Ａの突出の様子を示す略線図である。
【図２０】（Ａ）、（Ｂ）及び（Ｃ）は、図１９のＡ１７−Ａ１７断面における塗布液保持、Ａ１８−Ａ１８断面における塗布液保持及びＡ１９−Ａ１９断面における塗布液保持の様子を示す断面図である。
【図２１】第３の実施の形態を示す略線図である。
【図２２】外部シャフト４５を示す略線図である。
【図２３】押さえ部材７０を示す略線図である。
【図２４】内部シャフト４６を示す略線図である。
【図２５】キャップ蓋４７を示す略線図である。
【図２６】（Ａ）及び（Ｂ）は、内部シャフト４６のスライドの様子を示す略線図である。
【図２７】（Ａ）、（Ｂ）及び（Ｃ）は、液塗布具本体４２の先端部の構成を示す略線図である。
【図２８】（Ａ）、（Ｂ）及び（Ｃ）は、ブラシ部材９Ｂを示す略線図である。
【図２９】（Ａ）、（Ｂ）及び（Ｃ）は、ブラシ部材９Ｂを配設した液塗布具本体４２の先端部の構成を示す略線図である。
【図３０】（Ａ）及び（Ｂ）は、図２９のブラシ間部形成柱位置におけるＡ２３−Ａ２３断面及びスカート部位置におけるＡ２４−Ａ２４断面を示す断面図である。
【図３１】（Ａ）及び（Ｂ）は、図２９のＡ２３−Ａ２３断面における塗布液保持及びＡ２４−Ａ２４断面における塗布液保持の様子を示す断面図である。
【図３２】（Ａ）、（Ｂ）及び（Ｃ）は、ブラシ部材９Ｂの突出の様子を示す略線図である。
【図３３】（Ａ）、（Ｂ）及び（Ｃ）は、図３２のＡ２６−Ａ２６断面における塗布液保持、Ａ２７−Ａ２７断面における塗布液保持及びＡ２８−Ａ２８断面における塗布液保持の様子を示す断面図である。
【図３４】ブラシ毛材２４の傾斜の様子を示す略線図である。
【図３５】第４の実施の形態を示す略線図である。
【図３６】（Ａ）、（Ｂ）及び（Ｃ）は、外部シャフト５５を示す略線図である。
【図３７】（Ａ）、（Ｂ）及び（Ｃ）は、内部シャフト５６を示す略線図である。
【図３８】（Ａ）及び（Ｂ）は、図３５のキャップ蓋５７位置におけるＡ２９−Ａ２９断面及び鍔５６Ｂ位置におけるＡ３０−Ａ３０断面を示す断面図である。
【図３９】（Ａ）、（Ｂ）及び（Ｃ）は、液塗布具本体５２の先端部の構成を示す略線図である。
【図４０】（Ａ）、（Ｂ）及び（Ｃ）は、ブラシ部材９Ａを配設した液塗布具本体５２の先端部の構成を示す略線図である。
【図４１】図４０のブラシ間部形成柱位置におけるＡ３５−Ａ３５断面を示す断面図である。
【図４２】図４１のＡ３５−Ａ３５断面の液保持の様子を示す断面図である。
【図４３】（Ａ）、（Ｂ）及び（Ｃ）は、ブラシ毛材２４の収納の様子を示す略線図である。
【図４４】（Ａ）、（Ｂ）及び（Ｃ）は、図４３のＡ３７−Ａ３７断面における塗布液保持の様子を示す断面図である。
【図４５】（Ａ）、（Ｂ）及び（Ｃ）は、第４の実施の形態の変形例（１）の液塗布具本体５２の先端部の構成を示す略線図である。
【図４６】（Ａ）、（Ｂ）及び（Ｃ）は、第４の実施の形態の変形例（２）の液塗布具本体５２の先端部の構成を示す略線図である。
【図４７】従来の構成を示す略線図である。
【符号の説明】
【０１２４】
１、３１、４１、５１……液塗布具、２、３２、４２、５２……液塗布具本体、３……塗布液貯蔵部、４……塗布液、５、４５、５５……外部シャフト、６、４６、５６……内部シャフト、７、４７、５７……キャップ蓋、８……キャップ胴体、９Ａ、９Ｂ……ブラシ部材、１０……容器本体、１１……しごき部材、１３Ａ、１３Ｂ、１３Ｃ……先端ブラシ、１４……空隙、１５……柱、１６……液保持空隙、１７……液保持溝、１８……テーパ、１９、４９、６９……ブラシ間部形成柱、２０……ブラシ突出空隙、２３……芯材、２４……ブラシ毛材、２５、６５……Ｏリング、２６……ブラシ収納空間、２７……先端溝部、４５Ｇ……スカート部、４５Ｈ……ブラシ保持空隙、Ｌ１……中心軸線、Ｌ２……しごきライン、ａ、ｂ、ｃ、ｄ、ｅ、ｆ、ｇ、ｈ……矢印。
【図１】
2007236456.tif 000003
【図２】
2007236456.tif 000004
【図３】
2007236456.tif 000005
【図４】
2007236456.tif 000006
【図５】
2007236456.tif 000007
【図６】
2007236456.tif 000008
【図７】
2007236456.tif 000009
【図８】
2007236456.tif 000010
【図９】
2007236456.tif 000011
【図１０】
2007236456.tif 000012
【図１１】
2007236456.tif 000013
【図１２】
2007236456.tif 000014
【図１３】
2007236456.tif 000015
【図１４】
2007236456.tif 000016
【図１５】
2007236456.tif 000017
【図１６】
2007236456.tif 000018
【図１７】
2007236456.tif 000019
【図１８】
2007236456.tif 000020
【図１９】
2007236456.tif 000021
【図２０】
2007236456.tif 000022
【図２１】
2007236456.tif 000023
【図２２】
2007236456.tif 000024
【図２３】
2007236456.tif 000025
【図２４】
2007236456.tif 000026
【図２５】
2007236456.tif 000027
【図２６】
2007236456.tif 000028
【図２７】
2007236456.tif 000029
【図２８】
2007236456.tif 000030
【図２９】
2007236456.tif 000031
【図３０】
2007236456.tif 000032
【図３１】
2007236456.tif 000033
【図３２】
2007236456.tif 000034
【図３３】
2007236456.tif 000035
【図３４】
2007236456.tif 000036
【図３５】
2007236456.tif 000037
【図３６】
2007236456.tif 000038
【図３７】
2007236456.tif 000039
【図３８】
2007236456.tif 000040
【図３９】
2007236456.tif 000041
【図４０】
2007236456.tif 000042
【図４１】
2007236456.tif 000043
【図４２】
2007236456.tif 000044
【図４３】
2007236456.tif 000045
【図４４】
2007236456.tif 000046
【図４５】
2007236456.tif 000047
【図４６】
2007236456.tif 000048
【図４７】
2007236456.tif 000049